(57)【要約】【課題】像担持体に付着している付着物を、クリーニング部材によって確実に除去することができる画像形成装置を提供すること。【解決手段】  トナー像を担持する感光ドラム１１と、トナー像が用紙Ｐに転写する転写ローラ１９と、トナー像が用紙Ｐに転写された後に、感光ドラム１１に付着している転写残トナーをクリーニングするドラムクリーニングローラ２４とを備えるプリンタ１において、転写ローラ１９に印加される転写バイアスが比較的低いときに、感光ドラム１１とドラムクリーニングローラ２４との電位差を確保して、転写残トナーをドラムクリーニングローラ２４によって静電気的に除去し、転写バイアスが比較的高いときに、感光ドラム１１とドラムクリーニングローラ２４との電位差を小さくして、転写残トナーをドラムクリーニングローラ２４によって物理的に掻き取る。【選択図】図２
2014071366.tif 000002
【特許請求の範囲】
【請求項１】
現像剤像を担持可能な像担持体と、
前記像担持体に対向され、前記現像剤像を前記像担持体から記録媒体に転写するように構成される転写部材と、
前記像担持体に対して摺擦されるように構成され、現像剤像が記録媒体に転写された後に、前記像担持体に付着している付着物をクリーニングするクリーニング部材と、
前記転写部材に印加される転写バイアスを制御するように構成される第１制御装置と、
前記クリーニング部材に印加されるクリーニングバイアスを制御するように構成される第２制御装置と
を備え、
前記第１制御装置は、
記録媒体の電気抵抗が比較的低いと判断したときに、前記転写部材に第１の転写バイアスを印加し、
記録媒体の電気抵抗が比較的高いと判断したときに、前記転写部材に、前記第１の転写バイアスと同じ極性で、前記第１の転写バイアスよりも大きな絶対値を有する第２の転写バイアスを印加し、
前記第２制御装置は、
記録媒体の電気抵抗が比較的低いと判断したときに、前記クリーニング部材に第１のクリーニングバイアスを印加し、
記録媒体の電気抵抗が比較的高いと判断したときに、前記クリーニング部材に、前記クリーニング部材が摺擦される部分における前記像担持体の表面電位と前記クリーニング部材との電位差が第１のクリーニングバイアスを印加したときよりも小さくなるような、第２のクリーニングバイアスを印加する
ことを特徴とする、画像形成装置。
【請求項２】
前記第１制御装置は、前記像担持体と前記転写部材との間に流れる転写電流が一定となるように、前記転写バイアスを制御する
ことを特徴とする、請求項１に記載の画像形成装置。
【請求項３】
相対湿度を測定する湿度センサを、さらに備え、
前記第２制御装置は、前記湿度センサに測定された相対湿度が所定の相対湿度以下となったときに、記録媒体の電気抵抗が比較的高いと判断する
ことを特徴とする、請求項２に記載の画像形成装置。
【請求項４】
前記第２制御装置は、前記湿度センサに測定された相対湿度が３０％以下となったときに、記録媒体の電気抵抗が比較的高いと判断する
ことを特徴とする、請求項３に記載の画像形成装置。
【請求項５】
前記第２制御装置は、前記像担持体の長手方向における記録媒体の長さが、前記像担持体の最大画像形成領域に対して所定の割合以下となったときに、記録媒体の電気抵抗が比較的高いと判断する
ことを特徴とする、請求項２ないし４のいずれか一項に記載の画像形成装置。
【請求項６】
第１面に現像剤像が転写された記録媒体を加熱して、現像剤像を前記第１面に定着させる定着装置と、
現像剤像が前記第１面に定着された記録媒体を、前記定着装置から前記像担持体と前記転写部材との間へ搬送する搬送手段と
を、さらに備え、
前記第２制御装置は、前記搬送手段によって搬送された記録媒体の前記第１面と反対側の第２面に現像剤像を転写する場合に、記録媒体の電気抵抗が比較的高いと判断する
ことを特徴とする、請求項２ないし５のいずれか一項に記載の画像形成装置。
【請求項７】
前記転写バイアスを検出する検出手段をさらに備え、
前記第２制御装置は、前記検出手段によって検出された転写バイアスが前記第２の転写バイアス以上となったときに、記録媒体の電気抵抗が比較的高いと判断する
ことを特徴とする、請求項２に記載の画像形成装置。
【請求項８】
前記転写バイアスを検出する検出手段をさらに備え、
前記第１制御装置は、前記転写バイアスを一定に制御し、
前記第２制御装置は、前記検出手段によって検出された転写バイアスが前記第２の転写バイアスに切り替えられたときに、記録媒体の電気抵抗が比較的高いと判断する
ことを特徴とする、請求項１に記載の画像形成装置。
【請求項９】
前記第２制御装置は、記録媒体の電気抵抗が比較的高いと判断したときに、記録媒体が前記像担持体と前記転写部材との間に供給される前に、前記クリーニング部材に前記第２のクリーニングバイアスを印加する
ことを特徴とする、請求項３ないし６のいずれか一項に記載の画像形成装置。
【請求項１０】
前記第２制御装置は、記録媒体の電気抵抗が比較的高いと判断したときに、記録媒体が前記像担持体と前記転写部材との間に供給された後、付着物が前記クリーニング部材に対向するまでに、前記クリーニング部材に前記第２のクリーニングバイアスを印加する
ことを特徴とする、請求項７または８に記載の画像形成装置。
【請求項１１】
前記クリーニング部材に第２のクリーニングバイアスが印加されたときに、前記クリーニング部材が摺擦される部分における前記像担持体の表面電位と前記クリーニング部材との電位差は、０である
ことを特徴とする、請求項１ないし１０のいずれか一項に記載の画像形成装置。
【請求項１２】
前記像担持体は、複数設けられ、記録媒体の搬送方向に沿って互いに間隔を隔てて並列配置されており、
前記転写部材は、前記複数の像担持体のそれぞれに対応して、複数設けられ、
前記クリーニング部材は、前記複数の像担持体のそれぞれに対応して、複数設けられ、
前記第２制御装置は、前記搬送方向最下流側の像担持体に対応するクリーニング部材に印加されるクリーニングバイアスのみを制御する
ことを特徴とする、請求項１ないし１１のいずれか一項に記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、現像剤像を担持する感光体と、感光体上に形成された現像剤像を用紙に転写するための転写部材とを備えるプリンタが知られている。
【０００３】
例えば、ブラック、イエロー、マゼンタ、シアンの各色に対応して設けられる４つの感光体ドラムと、全ての感光体ドラムに接触されるように用紙を搬送する搬送ベルトと、４つの感光体ドラムのそれぞれに対応して、対応する感光ドラムとの間に搬送ベルトを挟むように設けられる４つの転写ローラとを備えるカラープリンタが提案されている（たとえば、特許文献１参照。）。
【０００４】
このカラープリンタでは、最上流に配置された感光体ドラムと、その感光ドラムに対向される転写ローラとの間の抵抗値を測定し、用紙が搬送される前の抵抗値と、用紙が搬送されているときの抵抗値との変動に基づいて、感光ドラムと転写ローラとの間に流れる電流の目標値（転写電流目標値）を設定している。
【０００５】
そして、感光ドラムと転写ローラとの間に流れる電流が転写電流目標値に近づくように、感光ドラムと転写ローラとの間に印加される電圧を制御している。
【先行技術文献】
【特許文献】
【０００６】
【特許文献１】特開２０１０−１２８０５４号公報
【発明の概要】
【発明が解決しようとする課題】
【０００７】
しかるに、上記した特許文献１に記載のカラープリンタでは、周辺の湿度が低い場合など、用紙の抵抗値が高いときには、感光ドラムと転写ローラとの間に流れる電流を転写電流目標値に近づけるために、感光ドラムと転写ローラとの間に印加される電圧の絶対値を大きくしている。
【０００８】
この場合、感光ドラムと転写ローラとの間に流れる電流により、感光ドラムと転写ローラとの間において、現像剤の帯電状態が変化する場合がある。具体的には、正帯電している現像剤が、ほとんど帯電していない状態（無帯電）や、負極性に帯電した状態に変化する場合がある。
【０００９】
帯電状態が変化した現像剤が感光ドラム表面に残存すると、感光ドラム表面を静電気的にクリーニングすることが困難になる。
【００１０】
そこで、本発明の目的は、像担持体に付着している付着物を、クリーニング部材によって確実に除去することができる画像形成装置を提供することにある。
【課題を解決するための手段】
【００１１】
（１）上記した課題を解決するため、本発明の画像形成装置は、現像剤像を担持可能な像担持体と、像担持体に対向され、現像剤像を像担持体から記録媒体に転写するように構成される転写部材と、像担持体に対して摺擦されるように構成され、現像剤像が記録媒体に転写された後に、像担持体に付着している付着物をクリーニングするクリーニング部材と、転写部材に印加される転写バイアスを制御するように構成される第１制御装置と、クリーニング部材に印加されるクリーニングバイアスを制御するように構成される第２制御装置とを備える。
【００１２】
第１制御装置は、記録媒体の電気抵抗が比較的低いと判断したときに、転写部材に第１の転写バイアスを印加し、記録媒体の電気抵抗が比較的高いと判断したときに、転写部材に、第１の転写バイアスと同じ極性で、第１の転写バイアスよりも大きな絶対値を有する第２の転写バイアスを印加する。
【００１３】
第２制御装置は、記録媒体の電気抵抗が比較的低いと判断したときに、クリーニング部材に第１のクリーニングバイアスを印加し、記録媒体の電気抵抗が比較的高いと判断したときに、クリーニング部材に、クリーニング部材が摺擦される部分における像担持体の表面電位とクリーニング部材との電位差が第１のクリーニングバイアスを印加したときよりも小さくなるような、第２のクリーニングバイアスを印加する。
【００１４】
このような構成によれば、記録媒体の電気抵抗が比較的高い場合には、第１制御装置は、転写バイアスの絶対値を大きくする。
【００１５】
すると、像担持体と転写部材との対向部分において、現像剤に対して過度に転写電流が作用し、現像剤の帯電状態が変動しやすくなる。
【００１６】
そこで、第２制御装置は、クリーニング部材に印加されるクリーニングバイアスを、像担持体の表面とクリーニング部材との電位差が小さくなるように、変更する。
【００１７】
これにより、像担持体に付着した付着物の帯電状態が変化していたとしても、像担持体に付着した付着物を、像担持体に対するクリーニング部材の摺擦によって、物理的にクリーニング部材で掻き取ることができる。
【００１８】
その結果、像担持剤に付着している付着物をクリーニング部材によって確実に除去することができる。
（２）また、第１制御装置は、像担持体と転写部材との間に流れる転写電流が一定となるように、転写バイアスを制御してもよい。
【００１９】
このような構成によれば、記録媒体の電気抵抗の変動に起因して転写電流が変動することを防止できる。
【００２０】
その結果、像担持体の表面の現像剤像を確実に記録媒体に転写することができる。
（３）また、本発明の画像形成装置は、相対湿度を測定する湿度センサをさらに備えてもよい。この場合、第２制御装置は、湿度センサに測定された相対湿度が所定の相対湿度以下となったときに、記録媒体の電気抵抗が比較的高いと判断してもよい。
【００２１】
このような構成によれば、湿度センサに測定された相対湿度に基づいて、記録媒体の電気抵抗が高くなっていると予測して、円滑に、像担持体の表面とクリーニング部材との電位差を小さくすることができる。
（４）また、第２制御装置は、湿度センサに測定された相対湿度が３０％以下となったときに、記録媒体の電気抵抗が比較的高いと判断してもよい。
【００２２】
このような構成によれば、相対湿度が３０％以下となったときにのみ、像担持体の表面とクリーニング部材との電位差を小さくすることができる。
【００２３】
そのため、現像剤の帯電状態が変動しやすいときに、像担持体に付着した付着物を、効果的にクリーニングすることができる。
（５）また、第２制御装置は、像担持体の長手方向における記録媒体の長さが、像担持体の最大画像形成領域に対して所定の割合以下となったときに、記録媒体の電気抵抗が比較的高いと判断してもよい。
【００２４】
このような構成によれば、記録媒体が像担持体に対して比較的小さいため、第１制御装置が、記録媒体に十分な転写電流を流すために、転写電流を大きく設定する場合がある。
【００２５】
この場合であっても、像担持体に付着している付着物をクリーニング部材によって確実に除去することができる。
（６）また、本発明の画像形成装置は、第１面に現像剤像が転写された記録媒体を加熱して、現像剤像を第１面に定着させる定着装置と、現像剤像が前記第１面に定着された記録媒体を、定着装置から像担持体と転写部材との間へ搬送する搬送手段とを、さらに備えてもよい。
【００２６】
この場合、前記第２制御装置は、前記搬送手段によって搬送された記録媒体の前記第１面と反対側の第２面に現像剤像を転写する場合に、記録媒体の電気抵抗が比較的高いと判断する。
【００２７】
このような構成によれば、記録媒体の両面（第１面および第２面）に連続して印刷する場合に、定着装置を通過して加熱されることにより、記録媒体が乾燥されて、その電気抵抗が高くなっている場合であっても、像担持体に付着している付着物をクリーニング部材によって確実に除去することができる。
（７）また、本発明の画像形成装置は、転写バイアスを検出する検出手段をさらに備えてもよい。この場合、第２制御装置は、検出手段によって検出された転写バイアスが第２の転写バイアス以上となったときに、記録媒体の電気抵抗が比較的高いと判断してもよい。
【００２８】
このような構成よれば、転写バイアスを検出手段で実測して、像担持体の表面とクリーニング部材との電位差を、より効果的に低減することができる。
（８）また、本発明の画像形成装置は、転写バイアスを検出する検出手段をさらに備えてもよい。また、第１制御装置は、転写バイアスを一定に制御してもよい。この場合、第２制御装置は、検出手段によって検出された転写バイアスが第２の転写バイアスに切り替えられたときに、記録媒体の電気抵抗が比較的高いと判断してもよい。
【００２９】
このような構成によれば、転写部材に定電圧制御で転写バイアスを印加する構成において、像担持体に付着している付着物をクリーニング部材によって確実に除去することができる。
【００３０】
また、転写バイアスを検出手段で実測して、像担持体の表面とクリーニング部材との電位差を、より効果的に低減することができる。
（９）また、第２制御装置は、記録媒体の電気抵抗が比較的高いと判断したときに、記録媒体が像担持体と転写部材との間に供給される前に、クリーニング部材に第２のクリーニングバイアスを印加してもよい。
【００３１】
このような構成によれば、記録媒体の電気抵抗を予測した場合に、クリーニング部材が付着物に作用する前に、確実に、クリーニング部材に第２のクリーニングバイアスを印加することができる。
【００３２】
そのため、像担持体の表面に付着した付着物を、より確実に除去することができる。
（１０）また、第２制御装置は、記録媒体の電気抵抗が比較的高いと判断したときに、記録媒体が像担持体と転写部材との間に供給された後、付着物がクリーニング部材に対向するまでに、クリーニング部材に第２のクリーニングバイアスを印加してもよい。
【００３３】
このような構成によれば、記録媒体の電気抵抗を実測した場合に、クリーニング部材が付着物に作用する前に、確実に、クリーニング部材に第２のクリーニングバイアスを印加することができる。
【００３４】
そのため、像担持体の表面に付着した付着物を、より確実に除去することができる。
（１１）また、クリーニング部材に第２のクリーニングバイアスが印加されたときに、クリーニング部材が摺擦される部分における像担持体の表面電位とクリーニング部材との電位差は、０であってもよい。
【００３５】
このような構成によれば、簡易な構成で、確実に、像担持体の表面とクリーニング部材との電位差を低減することができる。
【００３６】
その結果、像担持体の表面に付着した付着物を、より一層確実に除去することができる。
（１２）また、像担持体は、複数設けられ、記録媒体の搬送方向に沿って互いに間隔を隔てて並列配置されていてもよい。また、転写部材は、複数の像担持体のそれぞれに対応して、複数設けられてもよい。また、クリーニング部材は、複数の像担持体のそれぞれに対応して、複数設けられてもよい。この場合、第２制御装置は、搬送方向最下流側の像担持体に対応するクリーニング部材に印加されるクリーニングバイアスのみを制御してもよい。
【００３７】
このような構成によれば、特に帯電状態が変動した付着物が付着しやすい、搬送方向最下流側の像担持体において、付着物を確実に除去することができる。
【発明の効果】
【００３８】
本発明の画像形成装置によれば、像担持体に付着している付着物をクリーニング部材によって確実に除去することができる。
【図面の簡単な説明】
【００３９】
【図１】図１は、本発明の画像形成装置の第１実施形態としてのプリンタを示す側断面図である。
【図２】図２は、図１に示すプリンタの電気的構成の要部を示すブロック図である。
【図３】図３は、第３実施形態のプリンタの電気的構成の要部を示すブロック図である。
【図４】図４は、第５実施形態のプリンタを示す側断面図である。
【発明を実施するための形態】
【００４０】
１．プリンタの全体構成
図１に示すように、画像形成装置の一例としてのプリンタ１は、横置きタイプのダイレクトタンデム型カラープリンタである。
【００４１】
なお、以下の説明において、プリンタ１の方向に言及するときには、プリンタ１を水平に載置した状態を上下の基準とする。すなわち、図１の紙面上側が上側（上下方向（第１方向）一方側）であり、紙面下側が下側（上下方向他方側）である。また、図１の紙面左側が前側（前後方向（第２方向）一方側）であり、図１の紙面右側が後側（前後方向他方側）である。また、プリンタ１を前側から見たときを左右の基準とする。すなわち、図１の紙面手前側が右側（左右方向（第３方向）一方側）であり、紙面奥側が左側（左右方向他方側）である。
【００４２】
プリンタ１は、略ボックス形状の本体ケーシング２を備えている。本体ケーシング２の上端部には、本体開口部３を開閉するトップカバー４が、その後端部を支点として揺動可能に設けられている。プリンタ１は、複数（４つ）のプロセスカートリッジ５と、複数（４つ）のＬＥＤユニット６と、転写ユニット７と、定着装置の一例としての定着ユニット８とを備えている。
【００４３】
すべてのプロセスカートリッジ５は、本体ケーシング２内に着脱可能に設けられ、互いに間隔を隔てて並列配置されている。また、複数（４つ）のプロセスカートリッジ５は、それぞれ、複数（４つ）の色（ブラック、イエロー、マゼンタ、シアン）のうちの１つに対応している。
【００４４】
プロセスカートリッジ５は、ドラムカートリッジ９と、ドラムカートリッジ９に着脱可能に装着される現像カートリッジ１０とを備えている。
【００４５】
ドラムカートリッジ９は、像担持体の一例としての感光ドラム１１と、スコロトロン型帯電器１２と、クリーニング部材の一例としてのドラムクリーニングローラ２４とを備えている。
【００４６】
感光ドラム１１は、左右方向（長手方向）に長手の略円筒形状に形成されており、ドラムカートリッジ９の後端部に回転可能に設けられている。
【００４７】
スコロトロン型帯電器１２は、感光ドラム１１の後上側に対向配置されている。
【００４８】
ドラムクリーニングローラ２４は、感光ドラム１１の後側において、スコロトロン型帯電器１２の下側に配置されている。ドラムクリーニングローラ２４は、感光ドラム１１に対して後側から接触されている。ドラムクリーニングローラ２４は、左右方向に延びる略円柱形状に形成されている。
【００４９】
現像カートリッジ１０は、現像ローラ１３と、現像ローラ１３にトナーを供給する供給ローラ１４とを備えている。
【００５０】
現像ローラ１３は、現像カートリッジ１０の後端部において、後側へ露出されるように回転可能に支持されている。現像ローラ１３は、感光ドラム１１に対して前上側から接触されている。現像ローラ１３は、左右方向に延びる略円柱形状に形成されている。
【００５１】
供給ローラ１４は、現像ローラ１３の前上側において、現像ローラ１３に接触されるように回転可能に支持されている。供給ローラ１４は、左右方向に延びる略円柱形状に形成されている。
【００５２】
また、現像カートリッジ１０は、現像ローラ１３に供給されたトナーの厚みを規制する層厚規制ブレード１５を備えている。また、現像カートリッジ１０には、現像ローラ１３および供給ローラ１４の上側において、現像剤の一例としてのトナーが収容されている。
【００５３】
複数のＬＥＤユニット６のそれぞれは、複数のプロセスカートリッジ５の感光ドラム１１の上にそれぞれ対向配置されるように、トップカバー４に支持されている。
【００５４】
転写ユニット７は、複数のプロセスカートリッジ５の下側に対向配置されている。転写ユニット７は、駆動ローラ１６、従動ローラ１７、搬送ベルト１８、および、複数（４つ）の転写部材の一例としての転写ローラ１９を備えている。
【００５５】
駆動ローラ１６は、転写ユニット７の後端部に回転可能に支持されている。
【００５６】
従動ローラ１７は、転写ユニット７の前端部に回転可能に支持されている。
【００５７】
搬送ベルト１８は、その上側部分がすべての感光ドラム１１に接触されるように、駆動ローラ１６および従動ローラ１７の周りに掛け渡されている。搬送ベルト１８は、駆動ローラ１６の駆動、および、従動ローラ１７の従動により、その上側部分が前側から後側に向かって移動するように、周回移動される。
【００５８】
複数の転写ローラ１９のそれぞれは、複数の感光ドラム１１のそれぞれの下側において、搬送ベルト１８の上側部分を挟むように対向配置されている。
【００５９】
定着ユニット８は、転写ユニット７の後側に対向配置されている。定着ユニット８は、加熱ローラ２０と、加熱ローラ２０に対向する加圧ローラ２１とを備えている。
【００６０】
そして、現像カートリッジ１０内のトナーは、供給ローラ１４と現像ローラ１３との間で正極性に摩擦帯電され、層厚規制ブレード１５により、一定厚さの薄層として現像ローラ１３の表面に担持される。
【００６１】
一方、感光ドラム１１の表面は、スコロトロン型帯電器１２によって一様に正極性に帯電された後、ＬＥＤユニット６によって所定の画像データに基づいて露光される。これにより、感光ドラム１１の表面には、画像データに基づく静電潜像が形成される。そして、現像ローラ１３に担持されるトナーが感光ドラム１１の表面上の静電潜像に供給されることにより、感光ドラム１１の表面上にトナー像（現像剤像）が担持される。
【００６２】
記録媒体の一例としての用紙Ｐは、本体ケーシング２の底部に設けられる給紙トレイ２２内に収容されており、各種ローラによって、後上側へＵターンするように搬送されて、所定のタイミングで１枚ずつ、感光ドラム１１と搬送ベルト１８との間に給紙される。そして、搬送ベルト１８によって、すべての感光ドラム１１とすべての転写ローラ１９との間を前側から後側に向かって搬送される。このとき、転写ローラ１９に印加される転写バイアス（後述）により、用紙Ｐにトナー像が転写される。
【００６３】
そして、用紙Ｐは、加熱ローラ２０と加圧ローラ２１との間を通過するときに加熱および加圧される。このとき、用紙Ｐには、トナー像が熱定着される。
【００６４】
その後、用紙Ｐは、前上側へＵターンするように搬送されて、トップカバー４に設けられる排紙トレイ２３に排紙される。
２．感光ドラム、転写ローラおよびドラムクリーニングローラの詳細
（１）感光ドラム
図２に示すように、感光ドラム１１は、ドラム本体３１と、シャフト３２とを備えている。
【００６５】
ドラム本体３１は、金属から左右方向に延びる略円筒形状に形成されている。ドラム本体３１の周面には、感光層が形成されている。ドラム本体３１の左右方向両端部のそれぞれには、フランジ部材（図示せず）が１つずつ相対回転可能に嵌合されている。
【００６６】
シャフト３２は、金属からドラム本体３１の中心軸線に沿って延びる略円柱形状に形成されている。シャフト３２は、フランジ部材（図示せず）の径方向中央を貫通するように、フランジ部材（図示せず）に相対回転不能に支持されている。また、シャフト３２は、金属からなる導通部材（図示せず）を介して、ドラム本体３１の内面に電気的に接続されている。また、シャフト３２は、本体ケーシング２にアース（接地）されている。
【００６７】
そして、感光ドラム１１は、右側面視反時計回り方向に、例えば、１６５ｍｍ／ｓの周速で回転される。
（２）転写ローラ
転写ローラ１９は、転写ローラ軸３３と転写ローラ本体３４とを備えている。
【００６８】
転写ローラ軸３３は、金属から左右方向に延びる略円柱形状に形成されている。
【００６９】
転写ローラ本体３４は、導電性の樹脂材料などから、左右方向に延びる略円筒形状に形成され、転写ローラ軸３３の左右方向両端部を露出するように、転写ローラ軸３３を被覆している。
（３）ドラムクリーニングローラ
ドラムクリーニングローラ２４は、ドラムクリーニングローラ軸３５とドラムクリーニングローラ本体３６とを備えている。
【００７０】
ドラムクリーニングローラ軸３５は、金属からなり、左右方向に延びる略円柱形状に形成されている。
【００７１】
ドラムクリーニングローラ本体３６は、半導電性のシリコーン樹脂やウレタン樹脂の発泡体などから形成されている。ドラムクリーニングローラ本体３６は、左右方向に延びる略円筒形状に形成され、ドラムクリーニングローラ軸３５の左右方向両端部を露出するように、ドラムクリーニングローラ軸３５を被覆している。
【００７２】
そして、ドラムクリーニングローラ２４は、右側面視時計回り方向に、感光ドラム１１の周速よりも速い、例えば、２１９ｍｍ／ｓの周速で回転される。つまり、ドラムクリーニングローラ２４は、感光ドラム１１に対して摺擦される。
３．プリンタの電気的構成
本体ケーシング２内には、電源基板４１と、湿度センサ４３と、マイクロコンピュータ４２とが設けられている。
【００７３】
電源基板４１は、電源４４と、転写ローラ１９に電力を供給するための転写回路４５と、ドラムクリーニングローラ２４に電力を供給するためのドラムクリーニング回路４６とを備えている。
【００７４】
電源４４は、配線を介して、転写回路４５、および、ドラムクリーニング回路４６に電気的に接続されている。
【００７５】
転写回路４５は、配線を介して、転写ローラ１９の転写ローラ軸３３に電気的に接続されている。転写回路４５は、マイクロコンピュータ４２の制御に基づいて、電源４４からの電圧を、所定の転写バイアスに調整して転写ローラ軸３３に印加する。
【００７６】
ドラムクリーニング回路４６は、配線を介して、ドラムクリーニングローラ２４のドラムクリーニングローラ軸３５に電気的に接続されている。ドラムクリーニング回路４６は、マイクロコンピュータ４２の制御に基づいて、電源４４からの電圧を、所定のドラムクリーニングバイアスに調整してドラムクリーニングローラ軸３５に印加する。
【００７７】
湿度センサ４３は、本体ケーシング２内の相対湿度を測定するセンサであり、信号配線を介して、マイクロコンピュータ４２に電気的に接続されている。
【００７８】
マイクロコンピュータ４２は、ＣＰＵおよびメモリなどにより構成されている。マイクロコンピュータ４２は、ＣＰＵによるプログラム処理によってソフトウェア的に実現される構成として、転写回路４５を制御する第１制御装置の一例としての転写バイアス制御部４７と、ドラムクリーニング回路４６を制御する第２制御装置の一例としてのドラムクリーニングバイアス制御部４８とを備えている。
【００７９】
なお、マイクロコンピュータ４２のメモリには、転写バイアステーブルとドラムクリーニングバイアステーブルとが格納されている。転写バイアステーブルには、相対湿度に対応して、転写電流の設定値が記憶されている。ドラムクリーニングバイアステーブルには、相対湿度に対応して、ドラムクリーニングバイアスの設定値が記憶されている。
４．画像形成動作
（１）転写電流およびドラムクリーニングバイアスの設定
上記した画像形成動作が実施されるときには、まず、転写バイアス制御部４７において転写バイアスが設定されるとともに、ドラムクリーニングバイアス制御部４８においてドラムクリーニングバイアスが設定される。
【００８０】
転写バイアス制御部４７は、転写バイアステーブルを参照して、湿度センサ４３によって測定された本体ケーシング２内の相対湿度に対応する転写電流を設定する。
【００８１】
また、ドラムクリーニングバイアス制御部４８は、ドラムクリーニングバイアステーブルを参照して、湿度センサ４３によって測定された本体ケーシング２内の相対湿度に対応するドラムクリーニングバイアスを設定する。
（１−１）通常の湿度環境の場合
本体ケーシング２内の相対湿度が、例えば、３０％超過、６０％未満であるときには、転写バイアス制御部４７およびドラムクリーニングバイアス制御部４８は、用紙Ｐの電気抵抗が比較的低いと判断する。
【００８２】
すると、転写バイアス制御部４７は、ブラックに対応する感光ドラム１１と転写ローラ１９との間に流す転写電流を、例えば、−１４μＡに設定する。
【００８３】
また、転写バイアス制御部４７は、イエローに対応する感光ドラム１１と転写ローラ１９の間に流す転写電流を、例えば、−１１μＡに設定する。
【００８４】
また、転写バイアス制御部４７は、マゼンタに対応する感光ドラム１１と転写ローラ１９の間に流す転写電流を、例えば、−１３μＡに設定する。
【００８５】
また、転写バイアス制御部４７は、シアンに対応する感光ドラム１１と転写ローラ１９の間に流す転写電流を、例えば、−１４μＡに設定する。
【００８６】
また、ドラムクリーニングバイアス制御部４８は、すべてのドラムクリーニングローラ２４に印加するドラムクリーニングバイアスを、感光ドラム１１の表面との電位差が、例えば、−３００Ｖになるように、設定する。つまり、最後方のドラムクリーニングローラ２４には、感光ドラム１１の表面との電位差が、例えば、−３００Ｖになるようなドラムクリーニングバイアス（第１のクリーニングバイアス）が印加される。
（１−２）低湿度環境の場合
本体ケーシング２内の相対湿度が、例えば、３０％以下であるときには、転写バイアス制御部４７およびドラムクリーニングバイアス制御部４８は、用紙Ｐの電気抵抗が比較的高いと判断する。
【００８７】
すると、転写バイアス制御部４７は、ブラックに対応する感光ドラム１１と転写ローラ１９との間に流す転写電流を、例えば、−１５μＡに設定する。
【００８８】
また、転写バイアス制御部４７は、イエローに対応する感光ドラム１１と転写ローラ１９との間に流す転写電流を、例えば、−１１μＡに設定する。
【００８９】
また、転写バイアス制御部４７は、マゼンタに対応する感光ドラム１１と転写ローラ１９の間に流す転写電流を、例えば、−１４μＡに設定する。
【００９０】
また、転写バイアス制御部４７は、シアンに対応する感光ドラム１１と転写ローラ１９の間に流す転写電流を、例えば、−１５μＡに設定する。
【００９１】
つまり、転写バイアス制御部４７は、用紙Ｐの電気抵抗が比較的高いと判断したときに、感光ドラム１１と転写ローラ１９の間に流す転写電流を、用紙Ｐの電気抵抗が比較的低いと判断したときよりも大きな絶対値を有する転写電流に設定する。
【００９２】
また、ドラムクリーニングバイアス制御部４８は、ドラムクリーニング回路４６を制御して、最後方の感光ドラム１１（シアンの感光ドラム１１）に対応するドラムクリーニングローラ２４の電位をフロート電位に設定し、最後方のドラムクリーニングローラ２４と感光ドラム１１の表面との電位差を０Ｖにする。つまり、最後方のドラムクリーニングローラ２４には、感光ドラム１１の表面電位と同じ電位のドラムクリーニングバイアス（第２のクリーニングバイアス）が印加される。
【００９３】
また、ドラムクリーニングバイアス制御部４８は、最後方の感光ドラム１１以外の感光ドラムに対応するドラムクリーニングローラ２４にドラムクリーニングバイアスを、感光ドラム１１の表面との電位差が、例えば、−３００Ｖになるように、設定する。
（２）転写・クリーニング動作
（２−１）通常の湿度環境における転写・クリーニング動作
上記した画像形成動作が実施されたときに、本体ケーシング２内の相対湿度が、例えば、３０％超過、６０％未満であると、転写バイアス制御部４７は、転写回路４５を制御して、複数の転写ローラ１９のそれぞれに、対応する感光ドラム１１との間に上記した転写電流を一定して流すように、転写バイアス（第１の転写バイアス）を印加する（定電流制御）。
【００９４】
また、ドラムクリーニングバイアス制御部４８は、ドラムクリーニング回路４６を制御し、複数のドラムクリーニングローラ２４のそれぞれに、上記したドラムクリーニングバイアスを印加する。
【００９５】
そして、用紙Ｐが感光ドラム１１と転写ローラ１９との対向部分を通過するときに、感光ドラム１１に担持されているトナー像が用紙Ｐに転写される。
【００９６】
このとき、感光ドラム１１の周面には、用紙Ｐに転写されなかった付着物の一例としてのトナー（以下、転写残トナーと記載する。）が残存する場合がある。
【００９７】
その後、複数の感光ドラム１１のそれぞれにおいて、感光ドラム１１の周面に残存する転写残トナーは、感光ドラム１１の回転に伴って、対応するドラムクリーニングローラ２４に対向される。
【００９８】
すると、転写残トナーは、ドラムクリーニングバイアスによって、対応するドラムクリーニングローラ２４の周面に静電気的に保持される。
（２−２）低湿度環境における転写・クリーニング動作
上記した画像形成動作が実施されたときに、本体ケーシング２内の相対湿度が、例えば、３０％以下であると、転写バイアス制御部４７は、転写回路４５を制御し、複数の転写ローラ１９のそれぞれに、対応する感光ドラム１１との間に上記した転写電流を流すように、転写バイアス（第２の転写バイアス）を印加する（定電流制御）。
【００９９】
また、ドラムクリーニングバイアス制御部４８は、ドラムクリーニング回路４６を制御し、最後方の感光ドラム１１に対応するドラムクリーニングローラ２４のドラムクリーニングバイアスをフロート電位に設定し、それ以外のドラムクリーニングローラ２４のそれぞれに、上記したドラムクリーニングバイアスを印加する。
【０１００】
また、ドラムクリーニングバイアス制御部４８は、ドラムクリーニング回路４６を制御し、複数のドラムクリーニングローラ２４のそれぞれに、上記したドラムクリーニングバイアスを印加する。
【０１０１】
なお、ドラムクリーニングバイアス制御部４８は、ドラムクリーニング回路４６を制御して、用紙Ｐが最後方の感光ドラム１１と転写ローラ１９との間に供給される前に、最後方のドラムクリーニングローラ２４に印加されるドラムクリーニングバイアスをフロート電位に変更する。
【０１０２】
そして、用紙Ｐが感光ドラム１１と転写ローラ１９との対向部分を通過するときに、感光ドラム１１に担持されているトナー像が用紙Ｐに転写される。
【０１０３】
その後、複数の感光ドラム１１のそれぞれにおいて、感光ドラム１１の周面に残存する転写残トナーは、感光ドラム１１の回転に伴って、対応するドラムクリーニングローラ２４に対向される。
【０１０４】
すると、最後方の感光ドラム１１の表面に残存する転写残トナーは、感光ドラム１１の表面に対するドラムクリーニングローラ２４の摺擦により、感光ドラム１１の表面から掻き取られて、対応するドラムクリーニングローラ２４の周面に保持される。
【０１０５】
また、最後方の感光ドラム１１以外の感光ドラム１１の表面に残存する転写残トナーは、ドラムクリーニングバイアスによって、対応するドラムクリーニングローラ２４の周面に静電気的に保持される。
４．作用効果
（１）このプリンタ１によれば、本体ケーシング２内の相対湿度が低く、用紙Ｐの電気抵抗が比較的高いと予想される場合には、転写バイアス制御部４７は、転写電流の設定値を大きくする。
【０１０６】
すると、感光ドラム１１と転写ローラ１９との対向部分において、トナーに対して過度に転写電流が作用し、トナーの帯電状態が変動しやすくなる。
【０１０７】
特に、このプリンタ１のようなダイレクトタンデム型のカラープリンタでは、用紙Ｐの搬送方向（前側から後側へ向かう方向）において、より下流側（後側）の感光ドラム１１と転写ローラ１９との間に流す転写電流の方が、より上流側（前側）の感光ドラム１１と転写ローラ１９との間に流す転写電流よりも大きく設定される。
【０１０８】
そのため、最後方に配置される感光ドラム１１と転写ローラ１９との対向部分において、トナーの帯電状態がより変動しやすくなる。
【０１０９】
そこで、ドラムクリーニングバイアス制御部４８は、最後方の感光ドラム１１に対応するドラムクリーニングローラ２４のドラムクリーニングバイアスを、感光ドラム１１の表面とドラムクリーニングローラ２４との電位差が実質的に０Ｖになるように、フロート電位に設定する。
【０１１０】
これにより、最後方の感光ドラム１１に付着した転写残トナーの帯電状態が変化していたとしても、最後方の感光ドラム１１に付着した転写残トナーを、感光ドラム１１に対するドラムクリーニングローラ２４の摺擦によって、物理的にドラムクリーニングローラ２４で掻き取ることができる。
【０１１１】
その結果、感光ドラム１１に付着している転写残トナーをドラムクリーニングローラ２４によって確実に除去することができる。
（２）また、このプリンタ１によれば、転写バイアス制御部４７は、転写電流が一定となるように、転写バイアスを制御している。
【０１１２】
そのため、用紙Ｐの電気抵抗の変動に起因して転写電流が変動することを防止できる。
【０１１３】
その結果、感光ドラム１１表面のトナー像を確実に用紙Ｐに転写することができる。
（３）また、このプリンタ１によれば、ドラムクリーニングバイアス制御部４８は、湿度センサ４３に測定された相対湿度が３０％以下となったときに、用紙Ｐの電気抵抗が比較的高いと判断する。
【０１１４】
そのため、湿度センサ４３に測定された相対湿度から用紙Ｐの電気抵抗を予測して、円滑に、感光ドラム１１の表面とドラムクリーニングローラ２４との電位差を小さくすることができる。
【０１１５】
また、相対湿度が３０％以下となり、トナーの帯電状態が変動しやすいときに、感光ドラム１１に付着した転写残トナーを、効果的にクリーニングすることができる。
（４）また、このプリンタ１によれば、ドラムクリーニングバイアス制御部４８は、用紙Ｐが最後方の感光ドラム１１と転写ローラ１９との間に供給される前に、最後方のドラムクリーニングローラ２４のドラムクリーニングバイアスをフロート電位にする。
【０１１６】
そのため、最後方のドラムクリーニングローラ２４が転写残トナーに作用する前に、確実に、最後方のドラムクリーニングローラ２４のドラムクリーニングバイアスをフロート電位にすることができる。
【０１１７】
そのため、最後方の感光ドラム１１表面に付着した転写残トナーを、より確実に除去することができる。
（５）また、このプリンタ１によれば、最後方のドラムクリーニングローラ２４のクリーニングバイアスをフロート電位にすることにより、最後方の感光ドラム１１の表面とドラムクリーニングローラ２４との電位差を０Ｖにしている。
【０１１８】
そのため、簡易な構成で、確実に、最後方の感光ドラム１１の表面とドラムクリーニングローラ２４との電位差を低減することができる。
【０１１９】
その結果、最後方の感光ドラム１１表面に付着した転写残トナーを、より一層確実に除去することができる。
（６）また、このプリンタ１によれば、ドラムクリーニングバイアス制御部４８は、最後方の感光ドラム１１に対応するドラムクリーニングローラ２４に印加されるドラムクリーニングバイアスのみを制御している。
【０１２０】
そのため、特に帯電状態が変動した転写残トナーが付着しやすい最後方の感光ドラム１１において、転写残トナーを確実に除去することができる。
５．第２実施形態
図２を参照して、プリンタ１の第２実施形態を説明する。なお、第２実施形態において、上記した第１実施形態と同様の部材には、同じ符号を付し、その説明を省略する。
（１）第２実施形態の概要
上記した第１実施形態では、転写バイアス制御部４７およびドラムクリーニングバイアス制御部４８は、本体ケーシング２内の相対湿度が、例えば、３０％以下であるときに、用紙Ｐの電気抵抗が比較的高いと判断している。
【０１２１】
対して、第２実施形態では、転写バイアス制御部４７およびドラムクリーニングバイアス制御部４８は、図２中に仮想線で示すように、外部のパーソナルコンピュータ５１などからプリンタ１に印刷ジョブが入力されたときに、印刷ジョブにおいて指定された用紙Ｐの左右方向長さが、感光ドラムの最大画像形成領域の左右方向長さに対して所定の割合以下であると、用紙Ｐの電気抵抗が比較的高いと判断する。
（２）転写電流およびドラムクリーニングバイアスの設定
第２実施形態においては、転写バイアス制御部４７およびドラムクリーニングバイアス制御部４８は、用紙Ｐの左右方向長さが、感光ドラムの最大画像形成領域の左右方向長さに対して、例えば、８０％以下、好ましくは、６０％以下となったときに、用紙Ｐの電気抵抗が比較的高いと判断する。
【０１２２】
すると、転写バイアス制御部４７は、上記した第１実施形態と同様にして、複数の感光ドラム１１のそれぞれと、対応する転写ローラ１９との間に流す転写電流を設定する。
【０１２３】
また、ドラムクリーニングバイアス制御部４８は、複数のドラムクリーニングローラ２４のそれぞれに印加するドラムクリーニングバイアスを設定する。
（３）第２実施形態の作用効果
第２実施形態においても、上記した第１実施形態と同様の作用効果を得ることができる。
【０１２４】
詳しくは、第２実施形態では、用紙Ｐのサイズ（左右方向長さ）が、感光ドラムの最大画像形成領域の左右方向長さに対して、上記した割合以下となったときには、転写バイアス制御部４７は、比較的小さなサイズの用紙Ｐに十分な転写電流を流すために、用紙Ｐの電気抵抗が比較的高いと判断し、上記した第１実施形態と同様に、感光ドラム１１と転写ローラ１９との間に流す転写電流を大きく設定する。
【０１２５】
この場合であっても、上記した第１実施形態と同様に、ドラムクリーニングバイアス制御部４８は、最後方の感光ドラム１１に対応するドラムクリーニングローラ２４のドラムクリーニングバイアスを、感光ドラム１１の表面とドラムクリーニングローラ２４との電位差が実質的に０Ｖになるように、フロート電位に設定する。
【０１２６】
そのため、感光ドラム１１に付着している転写残トナーをドラムクリーニングローラ２４によって確実に除去することができる。
６．第３実施形態
図３を参照して、プリンタ１の第３実施形態を説明する。なお、第３実施形態において、上記した第１実施形態と同様の部材には、同じ符号を付し、その説明を省略する。
（１）第３実施形態の概要
上記した第１実施形態では、本体ケーシング２内の相対湿度を湿度センサ４３で検知し、検知された相対湿度に基づいて、用紙Ｐの電気抵抗を判断している。
【０１２７】
対して、第３実施形態では、転写ローラ１９と感光ドラム１１との間の電気抵抗を測定し、測定された電気抵抗に基づいて、用紙Ｐの電気抵抗を判断する。
（２）第３実施形態の構成
第３実施形態では、図３に示すように、電流計６１と、検出手段の一例としての電圧計６２とを備えている。
【０１２８】
電流計６１は、転写回路４５と転写ローラ軸３３との間に介在されている。電流計６１は、転写回路４５から転写ローラ軸３３へ流れる電流の電流値を測定する。また、電流計６１は、信号配線（図３中に破線で示す。）を介して、マイクロコンピュータ４２に電気的に接続されている。電流計６１は、測定した電流値をマイクロコンピュータ４２に送信する。
【０１２９】
電圧計６２は、転写ローラ軸３３とシャフト３２とに電気的に接続されている。電圧計６２は、転写ローラ軸３３とシャフト３２との間に印加される電圧を測定する。また、電圧計６２は、信号配線（図３中に破線で示す。）を介して、マイクロコンピュータ４２に電気的に接続されている。電圧計６２は、測定した電圧をマイクロコンピュータ４２に送信する。
【０１３０】
そして、マイクロコンピュータ４２では、電流計６１で測定された電流値と、電圧計６２で測定された電圧とから転写ローラ１９と感光ドラム１１との間の電気抵抗を計算する。
（３）転写電流およびドラムクリーニングバイアスの設定
第３実施形態では、転写バイアス制御部４７は、転写ローラ１９と感光ドラム１１との間の電気抵抗が、例えば、１．０×１０１２Ω以上であると、用紙Ｐの電気抵抗が比較的高いと判断する。
【０１３１】
そして、転写バイアス制御部４７は、上記した第１実施形態と同様に、複数の感光ドラム１１のそれぞれと、対応する転写ローラ１９との間に流す転写電流を設定する。
【０１３２】
転写バイアス制御部４７は、転写回路４５を制御し、複数の転写ローラ１９のそれぞれに、対応する感光ドラム１１との間に上記した転写電流を流すように、転写バイアス（第２の転写バイアス）を印加する（定電流制御）。印加された転写バイアスは、電圧計６２において測定される。
【０１３３】
すると、ドラムクリーニングバイアス制御部４８は、電圧計６２によって測定される転写バイアスが第２の転写バイアス以上となったときに、用紙Ｐの電気抵抗が比較的高いと判断する。
【０１３４】
そして、ドラムクリーニングバイアス制御部４８は、上記した第１実施形態と同様に、複数のドラムクリーニングローラ２４のそれぞれに印加するドラムクリーニングバイアスを設定する。
【０１３５】
そして、ドラムクリーニングバイアス制御部４８は、ドラムクリーニング回路４６を制御して、用紙Ｐが最後方の感光ドラム１１と転写ローラ１９との間に供給された後、転写残トナーがドラムクリーニングローラ２４に対向するまでに、最後方のドラムクリーニングローラ２４に印加されるドラムクリーニングバイアスをフロート電位に変更する。
（４）第３実施形態の作用効果
（４−１）第３実施形態のプリンタ１によれば、ドラムクリーニングバイアス制御部４８は、電圧計６２によって測定された転写バイアスが第２の転写バイアス以上となったときに、用紙Ｐの電気抵抗が比較的高いと判断する。
【０１３６】
そのため、転写バイアスを実測して、最後方の感光ドラム１１の表面とドラムクリーニングローラ２４との電位差を、より効果的に低減することができる。
（４−２）また、第３実施形態のプリンタ１によれば、ドラムクリーニングバイアス制御部４８は、用紙Ｐが最後方の感光ドラム１１と転写ローラ１９との間に供給された後、転写残トナーがドラムクリーニングローラ２４に対向するまでに、ドラムクリーニングローラ２４に印加されるドラムクリーニングバイアスをフロート電位に変更する。
【０１３７】
そのため、最後方の感光ドラム１１表面に付着した転写残トナーを、より確実に除去することができる。
（４−３）また、第３実施形態においても、上記した第１実施形態と同様の作用効果を得ることができる。
７．第４実施形態
図３を参照して、プリンタ１の第４実施形態を説明する。なお、第４実施形態において、上記した第３実施形態と同様の部材には、同じ符号を付し、その説明を省略する。
（１）第４実施形態の概要
上記した第３実施形態では、転写バイアステーブルには、相対湿度に対応して、転写電流の設定値が記憶されている。そして、転写バイアス制御部４７は、転写回路４５を制御し、複数の転写ローラ１９のそれぞれに、転写バイアステーブルに基づいて設定された転写電流を流すように、転写バイアスを印加している（定電流制御）。
【０１３８】
対して、第４の実施形態では、転写バイアステーブルには、相対湿度に対応して、転写バイアスの設定値が記憶されている。そして、転写バイアス制御部４７は、転写回路４５を制御し、複数の転写ローラ１９のそれぞれに、転写バイアステーブルに基づいて設定された転写バイアスを印加する（定電圧制御）。
（２）転写電流およびドラムクリーニングバイアスの設定
（２−１）通常の湿度環境の場合
第４実施形態では、転写バイアス制御部４７は、転写ローラ１９と感光ドラム１１との間の電気抵抗が、例えば、１．０×１０１１Ω未満であると、用紙Ｐの電気抵抗が比較的低いと判断する。
【０１３９】
すると、転写バイアス制御部４７は、ブラックに対応する転写ローラ１９に印加する転写バイアス（第１の転写バイアス）を、例えば、−３５００Ｖに設定する。
【０１４０】
また、転写バイアス制御部４７は、イエローに対応する転写ローラ１９に印加する転写バイアス（第１の転写バイアス）を、例えば、−３０００Ｖに設定する。
【０１４１】
また、転写バイアス制御部４７は、マゼンタに対応する転写ローラ１９に印加する転写バイアス（第１の転写バイアス）を、例えば、−３５００Ｖに設定する。
【０１４２】
また、転写バイアス制御部４７は、シアンに対応する転写ローラ１９に印加する転写バイアス（第１の転写バイアス）を、例えば、−３５００Ｖに設定する。
【０１４３】
また、ドラムクリーニングバイアス制御部４８は、上記した第１実施形態と同様に、複数のドラムクリーニングローラ２４のそれぞれに印加するドラムクリーニングバイアスを設定する。
【０１４４】
そして、転写バイアス制御部４７は、転写回路４５を制御し、複数の転写ローラ１９のそれぞれに、上記した転写バイアスを印加する（定電圧制御）。印加された転写バイアスは、電圧計６２において測定される。
【０１４５】
すると、ドラムクリーニングバイアス制御部４８は、電圧計６２によって測定される転写バイアスが第１の転写バイアスであることにより、用紙Ｐの電気抵抗が比較的低いと判断する。
【０１４６】
そして、ドラムクリーニングバイアス制御部４８は、上記した第１実施形態と同様に、複数のドラムクリーニングローラ２４のそれぞれに印加するドラムクリーニングバイアスを設定する。
【０１４７】
そして、ドラムクリーニングバイアス制御部４８は、ドラムクリーニング回路４６を制御して、複数のドラムクリーニングローラ２４のそれぞれに、上記したドラムクリーニングバイアスを印加する。
（２−２）低湿度環境の場合
転写バイアス制御部４７は、転写ローラ１９と感光ドラム１１との間の電気抵抗が、例えば、１．０×１０１２Ω以上であると、用紙Ｐの電気抵抗が比較的高いと判断する。
【０１４８】
すると、転写バイアス制御部４７は、ブラックに対応する転写ローラ１９に印加する転写バイアス（第２の転写バイアス）を、例えば、−５０００Ｖに設定する。
【０１４９】
また、転写バイアス制御部４７は、イエローに対応する転写ローラ１９に印加する転写バイアス（第２の転写バイアス）を、例えば、−４５００Ｖに設定する。
【０１５０】
また、転写バイアス制御部４７は、マゼンタに対応する転写ローラ１９に印加する転写バイアス（第２の転写バイアス）を、例えば、−５０００Ｖに設定する。
【０１５１】
また、転写バイアス制御部４７は、シアンに対応する転写ローラ１９に印加する転写バイアス（第２の転写バイアス）を、例えば、−５０００Ｖに設定する。
【０１５２】
つまり、転写バイアス制御部４７は、用紙Ｐの電気抵抗が比較的高いと判断したときに、転写ローラ１９に印加する転写バイアスを、用紙Ｐの電気抵抗が比較的低いと判断したときよりも大きな絶対値を有する転写バイアスに設定する。
【０１５３】
そして、転写バイアス制御部４７は、転写回路４５を制御し、複数の転写ローラ１９のそれぞれに、上記した転写バイアスを印加する（定電圧制御）。印加された転写バイアスは、電圧計６２において測定される。
【０１５４】
すると、ドラムクリーニングバイアス制御部４８は、電圧計６２によって測定される転写バイアスが第２の転写バイアス以上となったときに、用紙Ｐの電気抵抗が比較的高いと判断する。
【０１５５】
そして、ドラムクリーニングバイアス制御部４８は、上記した第１実施形態と同様に、複数のドラムクリーニングローラ２４のそれぞれに印加するドラムクリーニングバイアスを設定する。
【０１５６】
そして、ドラムクリーニングバイアス制御部４８は、ドラムクリーニング回路４６を制御して、用紙Ｐが最後方の感光ドラム１１と転写ローラ１９との間に供給された後、転写残トナーがドラムクリーニングローラ２４に対向するまでに、最後方のドラムクリーニングローラ２４に印加されるドラムクリーニングバイアスをフロート電位に変更する。
（３）第４実施形態の作用効果
第４実施形態のプリンタ１によれば、転写バイアス制御部４７は、転写バイアスを一定に制御している。そして、ドラムクリーニングバイアス制御部４８は、電圧計６２によって測定された転写バイアスが第２の転写バイアスに切り替えられたときに、用紙Ｐの電気抵抗が比較的高いと判断する。
【０１５７】
そのため、転写ローラ１９に定電圧制御で転写バイアスを印加する構成において、感光ドラム１１に付着している転写残トナーをドラムクリーニングローラ２４によって確実に除去することができる。
【０１５８】
また、転写バイアスを実測して、最後方の感光ドラム１１の表面とドラムクリーニングローラ２４との電位差を、より効果的に低減することができる。
【０１５９】
また、第４実施形態においても、上記した第３実施形態と同様の作用効果を得ることができる。
８．第５実施形態
図４を参照して、プリンタ１の第５実施形態を説明する。なお、第５実施形態において、上記した第１実施形態と同様の部材には、同じ符号を付し、その説明を省略する。
（１）第５実施形態の概要
上記した第１実施形態では、プリンタ１をカラープリンタとして構成している。
【０１６０】
対して第５実施形態では、図４に示すように、プリンタ７１をモノクロプリンタとして構成する。
（２）第５実施形態の構成
第５実施形態のプリンタ７１は、イエロー、マゼンタ、シアンのプロセスカートリッジ５を有さず、ブラックのプロセスカートリッジ５を有する。
【０１６１】
また、第５実施形態のプリンタ７１は、転写ユニット７を有さず、代わりに、転写部材の一例としての転写ローラ７２を有する。
【０１６２】
転写ローラ７２は、プロセスカートリッジ５の後端部において、感光ドラム１１の下側に回転可能に支持されている。転写ローラ７２は、感光ドラム１１に対して下側から接触されている。
【０１６３】
また、第５実施形態のプリンタ７１には、図４中に仮想線で示すように、トナー像が定着された用紙Ｐを、定着ユニット８から、感光ドラム１１と転写ローラ７２との間へ搬送する搬送手段の一例としての反転パス７３が設けられている。
【０１６４】
反転パス７３は、定着ユニット８の後方を上下方向に延び、その後、給紙トレイ２２の上側、かつ、定着ユニット８およびプロセスカートリッジ５の下側を、前後方向に延びるように設けられている。反転パス７３の前端部は、プロセスカートリッジ５の前後方向略中央部に臨んでいる。また、反転パス７３の後端部は、用紙Ｐを排紙するための排紙ローラ７４の後下側に対向配置されている。
【０１６５】
トナー像が定着された用紙Ｐは、排紙トレイ２３に排紙される前に、排紙ローラ７４の回転により、トナー像が定着された面（第１面）が下側を向くように、反転パス７３内に導入される。
【０１６６】
その後、用紙Ｐは、反転パス７３を後側から前側へ通過して、トナー像が定着された面と反対側の面（第２面）が上側を向くように、感光ドラム１１と転写ローラ７２との間へ供給される。
【０１６７】
なお、第５実施形態のプリンタ７１では、本体開口部３は、本体ケーシング２の前端部に形成されており、本体ケーシング２の前端部には、本体開口部３を開閉するフロントカバー７５が、その下端部を支点として揺動可能に設けられている。
【０１６８】
また、第５実施形態のプリンタ７１では、スキャナユニット７６によって、感光ドラム１１が露光される。スキャナユニット７６は、プロセスカートリッジ５の上側に対向配置されている。スキャナユニット７６は、実線で示すように、感光ドラム１１に向けて、画像データに基づいて、レーザービームを出射する。
（３）転写電流およびドラムクリーニングバイアスの設定
第５実施形態では、転写バイアス制御部４７およびドラムクリーニングバイアス制御部４８は、外部のパーソナルコンピュータ５１などからプリンタ１に印刷ジョブが入力されたときに、印刷ジョブにおいて、両面印刷が指定された場合（すなわち、用紙Ｐの両面（第１面および第２面）に連続して印刷する場合）に、用紙Ｐの電気抵抗が比較的高いと判断する。
【０１６９】
すると、転写バイアス制御部４７は、上記した第１実施形態と同様に、複数の感光ドラム１１のそれぞれと、対応する転写ローラ１９との間に流す転写電流を設定する。
【０１７０】
また、ドラムクリーニングバイアス制御部４８は、複数のドラムクリーニングローラ２４のそれぞれに印加するドラムクリーニングバイアスを設定する。
（３）第５実施形態の作用効果
第５実施形態のプリンタ７１では、定着ユニット８を通過して加熱されることにより、用紙Ｐが乾燥されて、その電気抵抗が高くなっている場合であっても、感光ドラム１１に付着している転写残トナーをドラムクリーニングローラ２４によって確実に除去することができる。
９．変形例
上記した各実施形態は、互いに組み合わせて実施することもできる。
【０１７１】
例えば、図２に示すように、第１実施形態と第２実施形態とを組み合わせて実施することができる。
【０１７２】
この場合、マイクロコンピュータ４２は、印刷ジョブにおける用紙サイズの指定と、湿度センサ４３による相対湿度の検知とに基づいて、上記したように、転写電流やドラムクリーニングバイアスを設定する。
【０１７３】
また、図３に示すように、第２実施形態と第３実施形態とを組み合わせて実施することができる。
【０１７４】
この場合、マイクロコンピュータ４２は、印刷ジョブにおける用紙サイズの指定と、湿度センサ４３による相対湿度の検知とに基づいて、上記したように、転写電流やドラムクリーニングバイアスを設定する。
【０１７５】
また、第５実施形態において、上記した第１実施形態のように、湿度センサ４３による相対湿度の検知に基づいて、転写電流やドラムクリーニングバイアスを設定することもできる。
【０１７６】
また、第５実施形態において、上記した第２実施形態、第３実施形態および第４実施形態の少なくとも１つを適用することもできる。
【符号の説明】
【０１７７】
１      プリンタ
８      定着ユニット
１１    感光ドラム
１９    転写ローラ
２４    ドラムクリーニングローラ
４３    湿度センサ
４７    転写バイアス制御部
４８    ドラムクリーニングバイアス制御部
６２    電圧計
７３    反転パス
Ｐ      用紙
【図１】
2014071366.tif 000003
【図２】
2014071366.tif 000004
【図３】
2014071366.tif 000005
【図４】
2014071366.tif 000006